(57)【要約】      （修正有）【課題】漏電遮断器に搭載した耐電圧テスト用スイッチについて、操作性，ＯＮ／ＯＦＦ動作位置の目視確認、開閉機構とのインターロック機能の改善を図り、併せて遮断器主要部品のレイアウトを変えずにスイッチを追加装備する。【解決手段】漏電検出回路７と主回路との間の給電回路を入り，切りする手動操作式の耐電圧テスト用スイッチ１１を、スイッチ本体１６と、スイッチ本体の接点をＯＮ／ＯＦＦ操作するプッシュ／捻りロック式のスイッチ操作部１７と、該スイッチ操作部に連繋したアクチュエータ１８との組立ユニットで構成して遮断器の本体ケース１２内における零相変流器６の側方スペースに配置し、この配置位置でアクチュエータの操作端をトリップクロスバー１５に対峙させて機械的にインターロックし、耐電圧テスト用スイッチのＯＦＦ操作に連動してトリップクロスバー１５をラッチ釈放位置に駆動，拘束して遮断器をトリップさせる。【選択図】        図１
2006120563.tif 000002
【特許請求の範囲】
【請求項１】
過電流および地絡保護機能を備えた漏電遮断器であって、本体ケースに主回路接点，開閉機構，操作ハンドル，過電流引外し装置，および零相変流器と漏電検出回路を含む漏電引外し装置を内装し、かつ前記漏電検出回路と主回路との間に配線した給電回路を入り，切りする手動操作式の耐電圧テスト用スイッチを装備し、遮断器の絶縁・耐電圧試験時に耐電圧テスト用スイッチをＯＦＦ操作して漏電検出回路を主回路から切り離すようにしたものにおいて、
前記耐電圧テスト用スイッチを、スイッチ本体と、スイッチ本体の接点をＯＮ／ＯＦＦ操作するプッシュ／捻りロック式のスイッチ操作部と、該スイッチ操作部に連繋したアクチュエータとの組立ユニットで構成して遮断器の本体ケースに内装し、かつこの内装位置でアクチュエータの操作端を遮断器開閉機構のトリップクロスバーに対峙させて機械的にインターロックし、当該耐電圧テスト用スイッチのＯＦＦ操作によりアクチュエータを介して前記トリップクロスバーをラッチ釈放位置に駆動して遮断器をトリップさせ、同時にクロスバーをラッチ釈放位置に拘束保持するようにしたことを特徴とする漏電遮断器。
【請求項２】
請求項1に記載の漏電遮断器において、耐電圧テスト用スイッチのスイッチ操作部が、プッシュ／捻り操作式のボタンと、該ボタンを案内する筒状の支持ガイドと、該支持ガイドに内蔵して前記ボタンをＯＦＦ位置に向けて押し上げ付勢する駆動ばねとからなり、前記ボタンは側方に突き出してアクチュエータに対峙させた突起部を有し、支持ガイドには前記突起部を嵌入してボタンをＯＮ／ＯＦＦ方向に案内するスリット，および前記案内スリットの終端から周方向に変位したＯＮ位置にボタンを掛止保持する係合段部を切欠き形成したことを特徴とする漏電遮断器。
【請求項３】
請求項２に記載の漏電遮断器において、アクチュエータを直線動式としてその基部を耐電圧テスト用スイッチのユニットケース上にスライド可能に案内支持し、かつこの支持位置でアクチュエータに前記ボタンの突起部を対峙，連繋させたことを特徴とする漏電遮断器。
【請求項４】
請求項２に記載の漏電遮断器において、アクチュエータを回動レバーとしてその一端を耐電圧テスト用スイッチのユニットケース上に軸支し、かつこの支持位置でアクチュエータに前記ボタンの突起部を対峙，連繋させたことを特徴とする漏電遮断器。
【請求項５】
請求項１記載の漏電遮断器において、耐電圧テスト用スイッチを、遮断器の本体ケースに内装した零相変流器と該変流器を貫通したコ字形の主回路導体と本体ケースの側壁とで囲まれたスペースに内装配置し、かつ前記スイッチ操作部の操作端に位置を合わせて本体ケースの上部カバーに操作窓穴を開口したことを特徴とする漏電遮断器。
【発明の詳細な説明】
【技術分野】
【０００１】
本発明は、低電圧配電系統に適用する過電流保護および地絡保護機能を備えた漏電遮断器に関し、詳しくは漏電遮断器の絶縁・耐電圧試験を行う際に漏電検出回路を主回路から切り離す保護手段としての耐電圧テスト用スイッチの組立構造に係わる。
【背景技術】
【０００２】
低電圧配電系統の保護機器として配線用遮断器，漏電遮断器があり、現在国内の市場に展開している漏電遮断器は過電流保護の機能と地絡保護機能を備えた構成のものが一般的である。また、最近の漏電遮断器では、需要家サイドでの使い勝手性を高めるために、同じフレームの配線用遮断器，漏電遮断器は同じ外形サイズの本体ケースとした上で、主要部品をできるだけ共用化するように構成した単体構造の漏電遮断器が主流となっている（例えば、特許文献１参照）。
この漏電遮断器における漏電保護手段としては、主回路を一次導体として不平衡電流を検出する零相変流器、および零相変流器の二次出力レベルから地絡事故発生を検知する漏電検出回路（ＩＣを含む電子回路）を搭載し、漏電検出回路の出力信号を受けて遮断器の開閉機構をトリップ動作させるようにしている。また、前記漏電検出回路の制御電源として主回路と漏電検出回路との間に電源線を配線し、主回路の相間電圧を整流して漏電検出回路に給電するようにしている。
【０００３】
一方、漏電遮断器の製品は本体ケースに搭載した各相の主回路に対して所定の相間絶縁耐力を備えていることが規格で規定されており、そのために製品ごとに絶縁・耐電圧試験（メガテスト）を行って所定の絶縁強度が確保されているか否かを確認するようにしている。この絶縁・耐電圧試験は、漏電遮断器の主回路接点をＯＦＦにした状態で、主回路端子の相間に試験電圧を印加して行うようにしており、その試験電圧は漏電遮断器の定格電圧ごとに規定されていて、例えば定格電圧４００〜６００Ｖの漏電遮断器での試験電圧は２５００Ｖである。
ところで、この絶縁・耐電圧試験を実施する場合に、前記の漏電検出回路を主回路に接続したまま試験を実施すると、電子回路である漏電検出回路が高い試験電圧で破壊されてしまう。そこで、漏電遮断器の使用先現場で絶縁・耐電圧試験が簡単に行えるようにするために、漏電遮断器本体ケースに耐電圧テスト用スイッチ（メガテストスイッチ）を装備し、遮断器のＯＮ／ＯＦＦ操作に連動して漏電検出回路の給電回路を入り／切りするようにした構成、および耐電圧テスト用スイッチをＯＦＦ操作して漏電検出回路を主回路から断路し、同時に遮断器を強制トリップ動作させるようにした漏電遮断器が、先に提案されて公知であり（例えば、特許文献２参照）、その漏電遮断器の回路図を図６に示す。
【０００４】
図６において、１はＲ，Ｓ，Ｔの各相に対応する主回路導体、２は遮断器の主回路接点、３は主回路接点２の開閉機構部、４は開閉操作ハンドル、５は過負荷電流，短絡電流を検出して開閉機構３をトリップ動作させる過電流引外し装置である。また、配電路の地絡発生を検出して遮断器をトリップ動作させる漏電引外し装置は、Ｒ，Ｓ，Ｔ相の主回路導体１を一次導体として主回路の不平衡電流を検出する零相変流器６と、零相変流器６の二次出力レベルから地絡発生を検知する漏電検出回路（ＩＣを含む電子回路）７と、漏電検出回路７からの出力を受けて作動するトリップコイルユニット８とからなる。
ここで、漏電検出回路７はその制御電源として、主回路導体１との間に配線した電源線９，整流回路１０を介して主回路１の相間電圧を給電するようにし、この給電回路には特許文献２による耐電圧テスト用スイッチ１１が接続されている。そして、漏電遮断器の絶縁・耐電圧試験を実施する際には、試験に先立ち耐電圧テスト用スイッチ１１をＯＦＦにして漏電検出回路７を主回路から切り離すようにしている。なお、図示例では主回路のＲ，Ｓ，Ｔ相の各相電圧を直流変換して給電しているが、Ｒ−Ｔ相の相間電圧を漏電検出回路７に給電する場合もある。
【特許文献１】特許第３２４６５６２号明細書
【特許文献２】特開２００４−１９９８８１号公報
【発明の開示】
【発明が解決しようとする課題】
【０００５】
先記した単体構造の漏電遮断器に対して、その本体ケース内部に耐電圧テスト用スイッチを追加装備するには、スイッチの設置スペース確保のほかに、操作性，遮断器開閉機構とのインターロックなどの面で様々な制約を受ける。
すなわち、配線用回路遮断器と外形サイズを統一した漏電遮断器は、配線用回路遮断器と比べて零相変流器，漏電検出回路などの機能部品が多く、その本体ケース内には各種の主要機能部品が殆ど隙間を残すことなくびっしりと組み込まれていて耐電圧テスト用スイッチを新たに組み込むスペースを確保することが実際には中々困難である。また、耐電圧テスト用スイッチの操作性，遮断器開閉機構とのインターロック機能についても、高い信頼性が要求される。
かかる点、特許文献２に開示されている漏電遮断器では、耐電圧テスト用スイッチとして小型のスライドスイッチをスイッチケースに収容して遮断器本体ケースの内部に組み込んだ上で、該スイッチを手動で開閉するスライド操作式のスイッチカバーに設けたアクチュエータの先端を遮断器開閉機構のトリップクロスバーに対峙させ、耐電圧テスト用スイッチとトリップクロスバーとの間をインターロックするようにしている。
【０００６】
しかしながらこのスイッチ組立構造では、遮断器のケースカバーを閉じた使用状態では外方から耐電圧テスト用スイッチのＯＮ，ＯＦＦ動作状態を一見して目視確認することができず、またスイッチＯＦＦ位置で遮断器のトリップクロスバーをラッチ釈放位置に拘束保持するインターロック機構についても、遮断器のハンドル操作によってクロスバーにリセット方向の復帰力が加わると、耐電圧テスト用スイッチがこの操作力を受けてＯＦＦからＯＮ位置に戻ってしまうなど機能面での問題もあり、その信頼性を高める上からも更なる改善策が望まれる。
本発明は上記の点に鑑みなされたものであり、先記した特許文献２の耐電圧テスト用スイッチ付き漏電遮断器をベースに、耐電圧テスト用スイッチの操作性，ＯＮ／ＯＦＦ動作位置の目視確認、および遮断器開閉機構とのインターロック機能の改善を図り、併せて遮断器の本体ケース内に装備した主要機能部品のレイアウトを変更せずに耐電圧テスト用スイッチを追加装備できるよう組立構造，配置を改良した耐電圧テスト用スイッチ付きの漏電遮断器を提供することを目的とする。
【課題を解決するための手段】
【０００７】
上記目的を達成するために、本発明によれば、過電流保護および地絡保護機能を備えた漏電遮断器であって、本体ケースに主回路接点，開閉機構，操作ハンドル，過電流引外し装置，および零相変流器と漏電検出回路を含む漏電引外し装置を内装し、かつ前記漏電検出回路と主回路との間に配線した給電回路を入り，切りする手動操作式の耐電圧テスト用スイッチを装備し、遮断器の絶縁・耐電圧試験実施の際に耐電圧テスト用スイッチをＯＦＦ操作して漏電検出回路を主回路から切り離すようにしたものにおいて、
前記耐電圧テスト用スイッチを、スイッチ本体と、スイッチ本体の接点をＯＮ／ＯＦＦ操作するプッシュ／捻りロック式のスイッチ操作部と、該スイッチ操作部に連繋したアクチュエータとの組立ユニットで構成して遮断器の本体ケースに内装し、かつこの内装位置でアクチュエータの操作端を遮断器開閉機構のトリップクロスバーに対峙させて機械的にインターロックし、当該耐電圧テスト用スイッチのＯＦＦ操作によりアクチュエータを介して前記トリップクロスバーをラッチ釈放位置に駆動して遮断器をトリップさせ、同時にクロスバーをラッチ釈放位置に拘束保持するようにする（請求項１）。
【０００８】
また、本発明によれば、前記の耐電圧テスト用スイッチの具体的な組立構造および配置について、次記のような態様で構成することができる。
（１）耐電圧テスト用スイッチのスイッチ操作部を、プッシュ／捻り操作式のボタンと、該ボタンを案内する筒状の支持ガイドと、該支持ガイドに内蔵して前記ボタンをＯＦＦ位置に向けて押し上げ付勢する駆動ばねとの組立体となし、前記ボタンは支持ガイドの側方に突き出してアクチュエータに対峙させた突起部を有し、支持ガイドには前記突起部を嵌入してボタンをＯＮ／ＯＦＦ方向に案内するスリット，および前記案内スリットの終端から周方向に変位したＯＮ位置にボタンを掛止保持する係合段部を切欠き形成する（請求項２）。
（２）前項（１）の構成において、アクチュエータを直線動式としてその基部を耐電圧テスト用スイッチのユニットケース上にスライド可能に案内支持し、かつこの支持位置でアクチュエータに前記ボタンの突起部を対峙，連繋させるようにする（請求項３）。
（３）前項（１）の構成において、アクチュエータを回動レバーとしてその一端を耐電圧テスト用スイッチのユニットケース上に軸支し、かつこの支持位置でアクチュエータに前記ボタンの突起部を対峙，連繋させるようにする（請求項４）。
（４）さらに、前記耐電圧テスト用スイッチを、遮断器の本体ケースに内装した零相変流器と該変流器を貫通したコ字形の主回路導体と本体ケースの側壁とで囲まれたスペースに内装配置し、かつ前記スイッチ操作部の操作端に位置を合わせて本体ケースの上部カバーに操作窓穴をする（請求項５）。
【発明の効果】
【０００９】
上記構成の耐電圧テスト用スイッチによれば、次記の効果が得られる。
（１）耐電圧テスト用スイッチの操作部について、プッシュ／捻り操作式のタンをＯＮ／ＯＦＦ位置でロックするようにしたことで確実なＯＮ／ＯＦＦ操作，およびＯＮ／ＯＦＦ位置の保持が行えるとともに、遮断器のケースカバーに開口した操作窓穴からボタンの頭が突き出しているか、引っ込んでいるかを目視することで耐電圧テスト用スイッチのＯＮ／ＯＦＦ状態を一見して確認できる。
（２）また、このスイッチＯＮ／ＯＦＦ操作に合わせて、スイッチ操作部のボタンの突起部に連繋したアクチュエータが遮断器開閉機構のトリップクロスバーを後退位置および動作位置に拘束保持するようにしたことにより、漏電遮断器の絶縁・耐電圧試験終了後は、耐電圧テスト用スイッチを手動でＯＮ位置に戻さない限りは、遮断器のハンドル操作で主回路接点をリセットすることができず、これにより耐電圧テスト用スイッチの入れ忘れが原因で漏電遮断器の使用再開後に地絡検出機能が働かなくなるといった事態を確実に防ぐことができる。
（３）さらに、遮断器の本体ケースに組み込んだ零相変流器の側面と本体ケースの側壁との間のスペースを活用してここにユニット化した耐電圧テスト用スイッチを収容配置することで、漏電遮断器と配線用回路遮断器と共用部品，および機能部品のレイアウトを変更せずに耐電圧テスト用スイッチを容易に追加装備することができる。
【発明を実施するための最良の形態】
【００１０】
以下、本発明の実施の形態を図１〜図５に示す実施例に基づいて説明する。なお、図示実施例において、図６に対応する同一部材には同じ符号を付している。
まず、本発明による耐電圧テスト用スイッチを搭載装備した漏電遮断器の全体構成を図１に示す。図１において、１２は下部ケース１２ａと上部カバー１２ｂとの分割構造になる漏電遮断器の本体ケースであり、該本体ケース１２には図６で述べた主回路接点の開閉機構３，操作ハンドル４，過電流引外し装置５，零相変流器６，漏電検出回路（プリント板）７，および詳細構造を後述する耐電圧テスト用スイッチ１１などの機能部品のほか、Ｕ，Ｖ，Ｗの各相に対応する主回路導体１の接続端子１３，消弧室１４，および開閉機構３のラッチに連繋したトリップクロスバー１５が図示のようなレイアウトで配備されている。また、前記の耐電圧テスト用スイッチ１１は、零相変流器６の側方に位置して零相変流器を貫通する屈曲形状の主回路導体１（零相変流器の一次導体）と本体ケース１１の外壁とで周囲が囲まれたスペース内に収納配備されている。
【００１１】
ここで、耐電圧テスト用スイッチ１１は開閉接点機構を内蔵したスイッチ本体１６と、手動操作でスイッチ本体１６の開閉接点をＯＮ／ＯＦＦするスイッチ操作部１７と、該操作部１７に連繋して前記トリップクロスバー１５にインターロックさせたアクチュエータ１８との組立ユニット構造になり、先記のように漏電遮断器の絶縁・耐電圧試験に際して耐電圧テスト用スイッチ１１を手動でＯＦＦ操作すると、これに連動してアクチュエータ１８がトリップクロスバー１５をラッチ釈放位置に駆動して漏電遮断器を強制的にトリップ動作させる。また、耐電圧テスト用スイッチ１１のスイッチ操作部１７に位置を合わせて遮断器本体ケース１２の上部カバー１２ｂには操作窓穴１２ｃを開口し、外部から後記のようにドライバ（ネジ回し）を使って耐電圧テスト用スイッチ１１をＯＮ／ＯＦＦ操作するようにしている。
【００１２】
次に、前記耐電圧テスト用スイッチ１１の詳細構造を図２〜図４で説明する。すなわち、耐電圧テスト用スイッチ１１はユニットケース１９に前記のスイッチ本体１６，スイッチ操作部１７，およびアクチュエータ１８を設けたユニット構造になり、このユニットケース１９を図１に示した遮断器本体ケース１２の下部ケース１２ａ内でコ字状に屈曲して零相変流器６を貫通する一次導体の間のスペースに上方から挿入して定位置に配置する。
ここで、スイッチ操作部１７は、プッシュ／捻り操作式のボタン１７ａと、該ボタン１７ａを嵌入して上下方向に案内する筒状の支持ガイド１７ｂと、図３の分解図で詳記するように支持ガイドに内蔵して前記ボタンをＯＦＦ位置に向けて押し上げ付勢する駆動ばね１７ｃとの組立体からなり、前記ボタン１７ａの周面には支持ガイド１７ｂの側方に突き出してアクチュエータに対峙させた突起部１７ｄを有し、支持ガイド１７ｂには前記突起部１７ｄを嵌入してボタン１７ａをＯＮ／ＯＦＦ位置の間に案内する上下方向のスリット１７ｅ，および前記案内スリット１７ｅの下端から周方向に変位したＯＮ位置にボタンの突起部１７ｄを掛止保持する係合段部１７ｆが切欠き形成されている。なお、前記ボタン１７ａの頂部端面にはドライバ（ネジ回し）を差し込む溝が形成されている。
【００１３】
また、アクチュエータ１８はスイッチ操作部１７の側方に並べてユニットケース１９の上面に配置し、その操作端部１８ａを遮断器のトリップクロスバー１５（図１参照）に対峙させており、アクチュエータの基部１８ｂをユニットケース１９の上面側に形成したガイドレール溝１９ａに嵌入して動作方向に案内支持し、かつこの位置で基部１８ｂから上方に延在する衝立状の操作板（当て板）１８ｃをボタン１７ａの突起部１７ｄに対峙して連繋させている。
また、スイッチ本体１６は、図４で示すように左右の接続リード１６ａに下端を固定して起立対向する一対の板バネ製接触子片１６ｂと、該接触子片１６ｂの接点間に出入して接点をＯＮ／ＯＦＦするように配置した絶縁物の可動片１６ｃとの組立体からなり、前記可動片１６ｃが継手を介して前記スイッチ操作部１７のボタン１７ａと回動自在に連結されている。なお、このスイッチ本体１６の接点機構を覆って図２に示すユニットケース１９の開放面にはボタン１７ａと一緒に上下移動する絶縁カバーを備えている。
【００１４】
上記の構成で、スイッチ操作部１７のボタン１７ａを下方一杯に押し込んで反時計方向に捻ると、スイッチ本体１６の可動片１６ｃが下降して接触子片１６ｂの開閉接点がＯＮとなる（図４（ａ）参照）とともに、ボタン１７ａの突起部１７ｄが支持ガイド１７ｂに形成した係合段部１７の下面に掛止されてこのＯＮ位置にロックされる。また、突起部１７ｄはアクチュエータ１８の操作板１８ｃから後退してアクチュエータ１８の拘束を解除する。一方、図２（ａ）のＯＮ位置で、ボタン１７ａを時計方向に捻って突起部１７ｄを支持ガイド１７ｂの係合段部１７ｆから外すと、ボタン１７ａが駆動バネ１７ｃ（図３参照）のバネ力を受けて上昇移動し、この動きに従動してスイッチ本体１６の可動片１６ｃが上昇移動して左右の接触子片１６ｂの間に割り込む（図４（ｂ）参照）。これにより開閉接点が離脱してスイッチＯＦＦとなる。また、ボタン１７ａの突起部１７ｄがアクチュエータ１８を動作方向に押し出し駆動すると同時に、突起部１７ｄは支持ガイド１７ｂのスリット１７ｅに嵌入してアクチュエータ１８を押し出し位置に拘束保持する。
【００１５】
次に、上記の構成の耐電圧テスト用スイッチ１１を遮断器の本体ケース１２に装備した漏電遮断器について、絶縁・耐電圧試験時における耐電圧テスト用スイッチ１１の操作手順および動作機能について述べる。
すなわち、漏電遮断器の通常の使用状態では、耐電圧テスト用スイッチ１１は操作部のボタン１７ａを押し込んで図２（ａ）のスイッチＯＮ状態に保持されており、アクチュエータ１８は突起部１７ｄの拘束を受けずに遮断器のトリップクロスバー１５に対してフリーとなる。この状態で漏電遮断器がＯＮであれば、図６で述べたように主回路の相間電圧が耐電圧テスト用スイッチ１１を通じて漏電検出回路７に給電される。一方、漏電遮断器の絶縁・耐電圧試験実施に際して、図１に示した遮断器の上部カバー１２ｂに開口した操作窓１２ｃにドライバ（ネジ回し）を差し込んでボタン１７ａを時計方向に捻り、図２（ｂ）の状態にすると、スイッチ本体１６の接点がＯＦＦとなって漏電検出回路７を遮断器の一次導体１から切り離すとともに、同時にボタン１７ａの突起部１７ｄを介して動作方向に突き出したアクチュエータ１８がトリップクロスバー１５をラッチ釈放位置に駆動して遮断器をトリップ動作させるとともに、トリップクロスバー１５をこの位置に拘束保持し、これで絶縁・耐電圧試験の準備態勢が整うことになる。
【００１６】
そして、絶縁・耐電圧試験の終了後に、耐電圧テスト用スイッチ１１を手動でＯＮ位置に戻すと（図２（ａ）参照）、アクチュエータ１８によるトリップクロスバー１５の拘束が解除される。したがって、トリップ位置に停止している遮断器のハンドル４（図１参照）を一旦リセット位置に戻してからＯＮ位置に投入することで、主回路接点２（図６参照）が閉極して漏電遮断器が通常の使用状態に復帰する。なお、この場合に、耐電圧テスト用スイッチ１１をＯＮ位置に戻さない限りは、操作ハンドル４をトリップ位置からＯＦＦ位置に移動しても開閉機構部３がリセットされず、したがって主回路接点１を投入することができない。これにより、耐電圧テスト用スイッチ１１の入れ忘れが原因で漏電遮断器の地絡検出，漏電保護機能が働かなくなるといったトラブルを回避できる。
次に、本発明の請求項４に対応する応用実施例を図５（ａ），（ｂ）で説明する。すなわち、図２に示した先記の実施例では、耐電圧テスト用スイッチ１１に組み付けたアクチュエータ１８を直線動式のスライダとしてユニットケース１９の上部に形成したガイドレール溝１９ａに嵌入支持している。これに対して、図５の実施例ではアクチュエータ１８を回動式レバーとして、その後部側がスイッチ操作部１７の周域を迂回するようにＵ字状に湾曲形成した上で、支軸ピン１８ｄを介してユニットケース１９の上に軸支し、さらにレバーの中間部位には操作片１８ｃの後方に並んでボタン１７ａの突起部１７ｄに対峙する突起１８ｅを備えている。
【００１７】
上記の構成で、耐電圧テスト用スイッチ１１のＯＮ状態では、図５（ａ）で示すようにＯＮ位置に掛止ロックされているボタン１７ａの突起部１７ｄが前記突起１８ｅを押し戻してアクチュエータ１８を後退位置に保持している（図２（ａ）と同じ状態）。
ここで、漏電遮断器の絶縁・耐電圧試験に際して、図２（ｂ）で述べたと同様にボタン１７ａを時計方向に捻り操作して耐電圧テスト用スイッチ１１をＯＦＦにすると、突起部１７ｄがアクチュエータ１８を動作方向に突き出し駆動し、これによりアクチュエータ１８は支軸ピン１８ｄを支点に回動して先端の操作端がトリップクロスバー１５（図１参照）をラッチ釈放位置に駆動して遮断器をトリップ動作させる。なお、試験終了後に行う耐電圧テスト用スイッチ１１の復帰操作の手順は図２で述べた実施例と同様である。
【図面の簡単な説明】
【００１８】
【図１】本発明の実施例に対応する耐電圧テスト用スイッチ付き漏電遮断器の全体構造を表す斜視図
【図２】図１における耐電圧テスト用スイッチの構成図で、（ａ），（ｂ）はそれぞれスイッチのＯＮ，ＯＦＦ状態を表す外観斜視図
【図３】図２におけるスイッチ操作部およびアクチュエータの分解斜視図
【図４】図２におけるスイッチ本体の構造，動作を表す模式図で、（ａ），（ｂ）はそれぞれスイッチのＯＮ，ＯＦＦの動作状態図
【図５】図２と異なる実施例の耐電圧テスト用スイッチの構成図で、（ａ），（ｂ）はそれぞれスイッチのＯＮ，ＯＦＦ状態を表す外観斜視図
【図６】耐電圧テスト用スイッチ付き漏電遮断器の回路図
【符号の説明】
【００１９】
１    主回路導体
２    主回路接点
３    開閉機構
４    操作ハンドル
５    過電流引外し装置
６    零相変流器
７    漏電検出回路
８    トリップコイルユニット
１１    耐電圧テスト用スイッチ
１２    本体ケース
１２ｂ  上部カバー
１２ｃ  操作窓穴
１５    トリップクロスバー
１６    耐電圧テスト用スイッチのスイッチ本体
１７    スイッチ操作部
１７ａ  ボタン
１７ｂ  支持ガイド
１７ｃ  駆動バネ
１７ｄ  突起部
１７ｅ  スリット
１７ｆ  係合段部
１８  アクチュエータ
【図１】
2006120563.tif 000003
【図２】
2006120563.tif 000004
【図３】
2006120563.tif 000005
【図４】
2006120563.tif 000006
【図５】
2006120563.tif 000007
【図６】
2006120563.tif 000008